(57)【特許請求の範囲】
【請求項１】
マトリックス状に配置された複数の操作ボタンを有する第１の操作部と、
マトリックス状に配置された複数の操作ボタンを有する第２の操作部と、
前記第１の操作部に隣接して設けられ、前記第１及び第２の操作部の前記各操作ボタンの配置に対応するように複数の領域に分割された画面を表示可能であり、前記各操作ボタンが操作されることで前記各領域を選択して決定するためのカーソルを当該各領域に割り当てて表示することが可能な表示部と、
前記第１の操作部及び前記表示部が配置される前面と、前記第２の操作部が配置される背面と、前記表示部及び前記第２の操作部が配置される第１の側と、前記第１の操作部が配置される第２の側とを有する本体と、
前記第１及び第２の操作部の、前記操作ボタンごとの配置に対応して配置された複数のコンデンサを有し、該各コンデンサの静電容量の変化を検出する第１の検出手段と、
前記第１及び第２の操作部の、前記操作ボタンごとの配置に対応して配置された接点式のスイッチを有し、前記各操作ボタンが押されることで前記スイッチの通電を検出する第２の検出手段とを有し、
前記第１の検出手段による検出信号に基づき前記表示部で前記カーソルを表示して前記領域を選択し、前記第２の検出手段による検出信号に基づき前記選択された領域を決定するように制御する手段と、
前記第１の操作部での使用と前記第２の操作部での使用とを切り替えるための切替スイッチとを具備し、
前記本体の前記第２の側における、前記前面及び前記背面によりグリップ部が形成され、前記グリップ部がユーザにより握られた状態で、前記第１の操作部は前記ユーザの親指で操作されることが可能であり、かつ、第２の操作部は前記ユーザの人指し指で操作されることが可能である
携帯型電子機器。
【請求項２】
請求項１に記載の携帯型電子機器であって、
前記第１の操作部及び前記第２の操作部は、それぞれ、５ｃｍ四方内の領域に前記各操作ボタンが配置されて構成されている
携帯型電子機器。
【発明の詳細な説明】
【技術分野】
【０００１】
本発明は、画像や音楽等を視聴することが可能な携帯型の電子機器に関する。
【背景技術】
【０００２】
ラップトップ型のＰＣ（Personal Computer）等では、モニター上でカーソルやスクロールバー等を移動する場合、いわゆるタッチパッドが用いられる。これは、ユーザの指等がパッド上で触れる位置が検出されることで、当該触れた位置に応じてモニター上でカーソルを表示する。タッチバッドでは、ユーザの指がパッド上で触れることによって、パッド内部の電極の静電容量が変化するので、この変化を検出することによりパッド上の指の位置を検出している。
【０００３】
このようなタッチパッドと、キーボードのような操作ボタンとが融合した入力デバイスがある。具体的には、キーボードのキーの下部または内部に、上記した静電容量の変化を検出するセンサを備え付けるものである（例えば、特許文献１参照。）。特に、特許文献１では、その図１０に示されるように当該入力デバイスが小型化されて携帯電話機に搭載される場合について述べられている。
【特許文献１】特開２００３−２２３２６５号公報（図１、図１０等）
【発明の開示】
【発明が解決しようとする課題】
【０００４】
しかしながら、特許文献１の入力デバイスを小型化して携帯型の機器に搭載する場合、デスクトップＰＣ等とは異なり、ユーザの機器の持ち方がまちまちである場合、パッド部に指が触れるときの触れ方も様々である。特許文献１に記載の入力デバイスにより入力された情報を機器が的確に判断するためには、ユーザの機器の持ち方が統一される必要がある。
【０００５】
一方、特許文献１に記載の入力デバイスにより入力された情報を機器が的確に判断するために入力デバイスの検出精度を上げようとすると、内部の電極数を多くして検出する情報量を増やす等しなければならない。これでは、コストが高くなる上、小型化には適さない。
【０００６】
以上のような事情に鑑み、本発明の目的は、小型化を達成しつつも入力デバイスの検出精度を維持するためにあらゆるユーザの持ち方を統一させることができ、しかもユーザにとって操作が容易な携帯型電子機器を提供することにある。
【課題を解決するための手段】
【０００７】
上記目的を達成するため、本発明は、マトリックス状に配置された複数の操作ボタンを有する操作部と、前記各操作ボタンの配置に対応するように複数の領域に分割された画面を表示可能であり、前記各操作ボタンが操作されることで前記各領域を選択して決定するためのカーソルを当該各領域に割り当てて表示することが可能な表示部と、前記操作部と前記表示部とが設けられ、前記操作部の近傍にグリップ部を有する本体とを具備する。
【０００８】
本発明では、操作部の近傍にグリップ部を設けることにより、ユーザに積極的にグリップ部を持たせるようにしたので、あらゆるユーザの携帯型電子機器の持ち方を統一させることができる。特に、マトリックス状に細かく配置された複数の操作ボタンを有する操作部を操作する場合であっても、持ち方が統一されることで機器は入力情報を的確に判断することができるようになる。
【０００９】
ここで、「対応するように」とは、１つの操作ボタンに対して１つの領域を対応させる場合だけでなく、複数の操作ボタンに対して１つの領域を対応させる場合も含まれる。例えば、２つの操作ボタンに１つの領域が対応するように分割しても構わない。この場合、当該２つの操作ボタンのうちいずれか１つの操作ボタンを操作すれば当該領域を選択して決定することができる。
【００１０】
本発明の一の形態によれば、前記操作ボタンごとに設けられた複数のコンデンサを有し、該各コンデンサの静電容量の変化を検出する第１の検出手段と、前記操作ボタンごとに設けられた接点式のスイッチを有し、前記各操作ボタンが押されることで前記スイッチの通電を検出する第２の検出手段と、前記第１の検出手段による検出信号に基づき前記表示部で前記カーソルを表示して前記領域を選択し、前記第２の検出手段による検出信号に基づき前記選択された領域を決定するように制御する手段とをさらに具備する。本発明のような構成を有する操作部が小型化されて携帯型電子機器に搭載されたとしても、上記のようにほとんどのユーザはほぼ一定の持ち方になるので、第１及び第２の検出手段による検出の誤差を極力少なくすることができる。
【００１１】
本発明の一の形態によれば、前記グリップ部は、前記本体の前記操作部が設けられる側と反対側に突出して設けられた突出部を有する。操作部が例えば本体の前面に配置される場合、突出部は背面に設けられる。操作部が例えば本体の背面に配置される場合、突出部は前面に設けられる。操作部と反対側に突出部が設けられることにより、その突出部をユーザに握らせて親指で操作部を操作するようになる。つまり、あらゆるユーザの握り方をほぼ一定にすることができる。
【００１２】
本発明の一の形態によれば、前記突出部に設けられたバッテリーをさらに具備する。バッテリーは、携帯型電子機器の中で比較的重量が大きい。したがって、バッテリーをグリップ部の突出部に搭載することで、安定してユーザが操作部を操作することができる。
【００１３】
本発明の一の形態によれば、前記本体の前面に前記操作部と前記表示部とが隣接して設けられている。特に、前記本体は、該本体の端部にグリップ部を有し、前記操作部、前記表示部及び前記グリップ部がほぼ直線状に並んで配置されている。これにより、ユーザは操作部の操作が容易となる。従来では、携帯型の電子機器を小型化するために、操作部と表示部とを一体としたいわゆるタッチパネルとすることも考えられていた。この場合、機器が小型化されタッチパネル表示部も小型化されると、指で表示部を触れたときに画面が指で隠れてしまって見えなくなるという問題があった。しかしながら、本実施の形態によれば、ユーザは表示部を見ながら、操作ボタンごとのピッチが狭く小さい操作部であってもストレスを感じることなく操作することができる。
【００１４】
本発明の一の形態によれば、前記本体の前面と背面とに前記操作部と前記表示部とがそれぞれ配置されている。表示部は各操作ボタンの配置に対応するように複数の領域に分割された画面を表示可能であるので、ユーザが目視できない本体の背面に操作部が配置されていても、ユーザは表示部を見ながら操作することができる。
【００１５】
本発明の一の形態によれば、前記操作部は、５ｃｍ四方内の領域に前記各操作ボタンが配置されて構成されている。４ｃｍ四方内の領域に各操作ボタンが配置されていることが好ましい。
【発明の効果】
【００１６】
以上のように、本発明によれば、小型化を達成しつつも、入力デバイスの検出精度を維持するためにあらゆるユーザの持ち方を統一させることができ、ユーザは機器を容易に操作することができる。
【発明を実施するための最良の形態】
【００１７】
以下、本発明の実施の形態を図面に基づき説明する。
【００１８】
図１は、本発明の一実施の形態に係る携帯型電子機器を示す斜視図である。図２は、図１に示す携帯型電子機器の底面図である。
【００１９】
この携帯型電子機器１は、例えば図示しないＨＤＤ（ハードディスクドライブ）を内蔵し、このハードディスクに記憶された音楽データを再生することができる機器である。携帯型電子機器１の本体２の前面２ａには、画像を表示する表示部７と、表示部７に隣接する操作部８とが設けられている。本体２の端部にはユーザが握る部分となるグリップ部６が設けられている。操作部８は、例えば、一辺がｔ＝４〜５ｃｍの四方内に操作ボタン９がマトリックスス状に配置されて構成されている。表示部７は例えば液晶や有機ＥＬ（Electro-Luminescence）等のデバイスが用いられる。
【００２０】
グリップ部６は、本体２の背面２ｂから突出する部分５が設けられ、この突出部５にはバッテリーが内蔵されている。バッテリーは、携帯型電子機器１の中でも比較的重量が大きいため、グリップ部６にバッテリーが内蔵される構成とすることで、グリップ部６の近傍が携帯型電子機器１の重心となり、ユーザが本体２を持ったときに安定感を与える。
【００２１】
本体２の上面２ｃには、電源スイッチ３やリモコンジャック４が設けられている。ユーザは電源スイッチ３を例えば矢印の方向にスライドさせることにより電源をＯＮとしたり、ＯＦＦとしたりすることができる。リモコンジャック４には、図示しないリモコンが接続されるようになっており、ユーザはリモコンを用いて、例えば音楽の選局、再生、早送りや巻戻し等の操作が可能となっている。また、本体２の側面２ｅには、オーディオ出力端子が設けられ、これに図示しないイヤホンまたはヘッドホン等が接続されるようになっている。
【００２２】
図３は、本体２がクレードル１１に載置された状態を示す正面図である。このクレードル１１の背面側には、例えば、電源供給用のプラグの接続ポート１３、携帯型電子機器１に記録された音楽データ等をスピーカ１６等に出力するための外部出力ポート１４、ＰＣ１８やディジタルカメラ１７等と接続が可能なＵＳＢ（Universal Serial Bus）ポート１５が設けられている。図２及び図３に示すように、携帯型電子機器１の本体２の底面２ｄにはコネクタ１０が設けられている。本体２がクレードル１１に載置された状態で、コネクタ１０がクレードル１１側に設けられたコネクタ１２と物理的に接続されることで、携帯型電子機器１に、クレードル１１を介して電力が供給されたり、ＰＣ１８から音楽データをダウンロードしたりすることができる。この場合、ＰＣ１８が持つ転送アプリケーションによって音楽データの圧縮がなされて、当該圧縮された音楽データがＰＣから転送され携帯型電子機器１のハードディスクに記録される。データの圧縮の形式は、例えばＭＰＥＧ（Moving Picture Experts Group）やＡＴＲＡＣ（Adaptive TRansform Acoustic Coding）等の形式が用いられるが、これに限られない。
【００２３】
図４は、携帯型電子機器１をユーザが手で持ったときの様子を示す図である。このように、ユーザはグリップ部６を握ることにより、親指で操作部８を操作することができる。
【００２４】
図５は、携帯型電子機器１のシステムの構成を示すブロック図である。
【００２５】
システムコントローラ１００は、ＣＰＵ（Central Processing Unit）１０１、ＲＯＭ（Read Only Memory）１０７、ＲＡＭ（Random Access Memory）１０９、ＤＭＡ（Direct Memory Access）コントローラ１０２、シリアル通信コントローラ１０３、ＳＤＲＡＭ（Synchronous Dynamic RAM）コントローラ１０４、周辺機器コントローラ１０５、表示コントローラ１０６を有する。
【００２６】
ＣＰＵ１０１は、本システムを全体的に統括して制御し、例えばＲＯＭ１０７に記憶されているファームウェアによりＲＡＭ１０９を作業領域に用いて各種の演算処理と制御を実行する。ファームウェアとして、例えばシステム起動のためのプログラム、起動時のチェックサムを実行するプログラム等がＲＯＭ１０７に記憶されている。ＤＭＡコントローラ１０２は、ＨＤＤ１１５に記憶された音楽データを、オーディオ出力端子１１６を介して外部に出力するために、該音楽データをＤＭＡ転送する。シリアル通信コントローラ１０３は、リモコン１１２や操作部８からの入力を制御するインタフェースである。ＳＤＲＡＭコントローラ１０４は、ＳＤＲＡＭ１１３に格納されるデータ量やデータの出力のタイミング等を制御する。
【００２７】
ＳＤＲＡＭ１１３は、主にＨＤＤ１１５から抽出される音楽データを一時的に格納するバッファである。ＳＤＲＡＭ１１３に格納された音楽データは、ＤＭＡコントローラ１０２を介してオーディオデコーダ１０８で復号され、ＤＡ（digital to analog）コンバータ１１０でアナログデータに変換されて、オーディオ出力端子１１６を介してヘッドホン１１１に出力される。
【００２８】
周辺機器コントローラ１０５は、ＨＤＤ１１５やＵＳＢポート１５のデータの入出力を制御する。表示コントローラ１０６は、表示部７での画像の表示を制御する。表示コントローラ１０６は、ＣＰＵ１０１の制御の下、操作部８により操作入力される信号に応じて、表示する画像を制御する。
【００２９】
図６は、ＨＤＤ１１５のハードディスク３８に記憶されたデータを示す図である。ハードディスク３８には、例えば画像表示プログラム１２１、ＪＰＥＧ（Joint Photographic Expert Group）画像、ビットマップデータ１２３、文字コード１２４等が記憶されている。画像表示プログラム１２１は、表示部７に各種画像を表示するためのプログラムであり、後述するカーソル表示や、カーソルで選択された項目に色付け等をも行う。ＪＰＥＧ画像は、後述する再生画面（図１５参照）を表示するときにこの再生画面中に表示される画像である。また、これだけなくアルバムジャケット等の画像を表示するときにも用いられる。ビットマップデータ１２３は、表示部７で表示される画面を構成するデータであり、例えば図１５に示す曲名５０や、図１４に示すアーティスト名等を表現するためのデータをも含む。文字コード１２４は、システムコントローラ１００により表示部７上に上記曲名５１等を表示するように命令があった場合に、この命令に応じて該曲名を表示するために文字情報をビットマップデータに変換するためのコードである。なお、画像表示プログラム１２１、ビットマップデータ１２３及び文字コード１２４はＲＯＭ１０７に記憶されているようにしてもよい。
【００３０】
図７は、操作部８の構成を示す断面図である。
【００３１】
操作部８の操作ボタン９は、例えば樹脂製のシート２０で一体的に形成され、このシート２０と、ユーザの指等がシート２０に接触したことを検出するためのシート２２とが本体２のカバー部材に取り付けられている。このシート２０及び２２の下部には、操作部８を制御する回路基板２１が支持体２５に支持されて配置されている。回路基板２１とシート２２とは、例えば両面テープ２６等によって貼り付けられている。
【００３２】
シート２２の下部には操作ボタン９ごとに対応して電極２４が設けられ、回路基板２１上にはこれら電極２４に対応して配線２３が設けられている。電極２４と配線２３とにより接触式のスイッチが構成される。電極２４または配線２３は、この操作部８を制御する図示しないコントローラに接続されている。電極２４または配線２３には所定値の電圧が印加された状態で、図８に示すようにユーザの親指１９等によって操作ボタン９が押されることによりスイッチが通電し、この通電によってどの操作ボタン９が押されたかが上記コントローラにより判断される。電極２４は例えばカップ状に形成されて弾性力を有し、操作ボタン９の押圧が解除されることで図７に示す状態に戻るように構成されている。なお、電極２４に弾性力がなくても、電極が取り付けられたバネやゴムカップ等の部材を設けることにより電極部分に弾性力を持たせるようにようにしてもよい。
【００３３】
図９は、操作部８の構成を示す図である。
【００３４】
この操作部８は、線状の送信電極３２−１乃至３２−５、これらに送信用の所定の周波数（例えば１００ＫＨｚ）の交流電流をそれぞれ供給する発振器３１、静電作用によって送信電極３２−１乃至３２−５より交流電流を受信する線状の受信電極３３−１乃至３３−５、受信電極３３−１乃至３３−５を流れる交流電流を受信する受信器３４、並びに、発振器３１の出力、受信電極３３−１乃至３３−５の出力、及び受信器３４の出力を入力するプロセッサ３５から構成されている。
【００３５】
シート２２にはまた、必要に応じて、発振器３１と各送信電極３２−１乃至３２−５との間に、スイッチ３６−１乃至３６−５がそれぞれ設けられている。また、各受信電極３３−１乃至３３−５と受信器３４との間にスイッチ３７−１乃至３７−５がそれぞれ設けられる。これらのスイッチ３６−１乃至３６−５、及びスイッチ３７−１乃至３７−５は、所定のタイミング（例えば、発振器３１が交流電流を出力するタイミング）でそのスイッチをON状態にする。
【００３６】
受信器３４は、所定の周波数帯域の交流電流のみを通過させるバンド・パス・フィルタ（ＢＰＦ）３４ａ、増幅器３４ｂ、および検波器３４ｃからなるＡＭ変調器、並びに、そのＡＭ変調器からの検波出力をアナログ−ディジタル変換するA/D変換器３４ｄから構成されている。
【００３７】
受信電極３３−１乃至３３−５は、送信電極３２−１乃至３２−５に対して略直交するように配置されており、それぞれ交差点を持つが、これらの交差点においては、これらの電極が接触していない。換言すると、送信電極３２と受信電極３３との交差点ではコンデンサが形成される。したがって、発振器３１により発振され、出力された交流電流が送信電極３２に供給されると、これに対向する受信電極３３には、静電誘導によって、その交差点（コンデンサ）を介して交流電流が流れる。
【００３８】
すなわち、発振器３１が送信電極３２に交流電圧を印加すると、送信電極３２と受信電極３３の間のコンデンサの静電容量による容量結合に基づいて、受信電極３３に交流電流が発生し、受信器３４に供給される。
【００３９】
受信器３４は、コンデンサを介して入力された交流電流の強度をディジタル信号としてプロセッサ３５に出力するが、このコンデンサを介して受信器３４に入力された交流電流の強度は、コンデンサの静電容量のみに依存する。また、このコンデンサの静電容量は、送信電極３２または受信電極３３の変形等がない限り、静的で固定値を保つ。したがって、送信電極３２に同一の交流電圧が印加される限り、コンデンサを介して受信器３４に入力される交流電流の強度は一定の値となる。
【００４０】
ところが、生体（ユーザの指先等）がこの送信電極３２と受信電極３３との交差点に接近すると、その交差点におけるコンデンサによる静電容量が変化する。すなわち、生体は仮想的な接地点（アース）とみなされるので、送信電極３２側に交流電圧が印加された場合、上述のコンデンサを介して受信電極３３により受信され、受信器３４に供給される交流電流の強度は、アース（生体）に流れ込む電流の分だけ弱まる。
【００４１】
このような現象を利用して、プロセッサ３５は、受信器３４のＡＭ変調器でＡＭ変調され、さらにA/D変換器３４ｄでディジタル信号に変換された受信信号を用いて、電極間の交差点に生体が接近しているか否かを判定したり、あるいは、生体がどの程度接近しているか（生体と交差点の間の距離）を計測する。
【００４２】
したがって、マトリックス状に配置された複数の操作ボタン９−１乃至９−２５のそれぞれが、各交差点のうちの１つの交差点の上にそれぞれ配置された場合、操作ボタン９−ｉ（ｉは、１乃至２５の値のうち任意の値）にユーザの指が接触すると、プロセッサ３５は、操作ボタン９−ｉ（その下に位置する交差点）に生体が接近していることを検出し、その検出信号をＣＰＵ１０１に供給する。
【００４３】
このように操作部８では、ユーザの指がシート２０に触れている状態（後述する「タッチ」の状態）の検出信号と、操作ボタン９が押された状態（後述する「プレス」の状態）の検出信号とが分けて判断されるようになっている。
【００４４】
図９に示す例では、操作ボタン９−１乃至９−２５が、５行５列のマトリックス状に配置されているため、５本の受信電極３３−１乃至３３−５と、５本の送信電極３２−１乃至３２−５が配置されているが、送信電極３２および受信電極３３の本数は限定されない。ただし、送信電極３２および受信電極３３は、後述するように、各操作ボタンの下に１つの交差点が必ず配列されるようにするのが好ましい。
【００４５】
また、図９に示す例では、交差点における送信電極３２と受信電極３３とのなす角度はほぼ９０度とされているが、この角度は限定されない。すなわち、送信電極３２と受信電極３３は、相互に接触せず、かつ交差点が形成されるように配置されれば、その配置方法は限定されない。
【００４６】
次に、操作部８の基本的な操作手法について説明する。
【００４７】
ユーザの操作部８での指の動かし方として以下の８つの動作を定義する。
１．「タッチ（TOUCH）」  指がシート２０（以下、操作ボタン９という）に触れていない状態から操作ボタン９に触れる動作
２．「ロングタッチ（LONG TOUCH）」  操作ボタン９に触れてから一定時間触れたままにする動作
３．「ムーブ（MOVE）」  ２５個の操作ボタン９のうちいずれかの操作ボタンに触れたまま、別の操作ボタン移動する動作（シート２０上のある箇所から別の箇所へ移動する動作）
４．「プレス（PRESS）」  ２５個の操作ボタン９のうちいずれか１つの操作ボタンを押す動作（上述した電極２４と配線２３とを通電させる動作）
５．「ロングプレス（LONG PRESS）」２５個の操作ボタン９のうちいずれか１つの操作ボタンを一定時間押したままにする動作
６．「ドラッグ（DRAG）」２５個の操作ボタン９のいずれか１つの操作ボタン９を押しながら、別の操作ボタンに移動する動作（移動途中でも、当該移動途中にある操作ボタン９をプレスしながら移動する）
７．「リリース（RELEASE）」  プレスの状態からそのプレスを解除した動作（操作ボタン９に触れたままにする動作）
８．「リムーブ（REMOVE）」  操作ボタン９から指を離す動作。
【００４８】
上記８つの動作は、主に以下の場合に用いられる。
【００４９】
「タッチ」は、後述するナビゲーションボタン、再生制御ボタン、コンテキストボタンを表示部７に表示させる場合、画面上の複数の領域（項目）のうちからある１つの項目を「選択」、つまり「フォーカス」する場合等に用いられる。  
「プレス」は、「タッチ」した状態から当該選択された項目を「決定」する場合に用いられる。  
「ロングタッチ」は、例えば画面を上下にスクロールさせる場合に用いられる。このスクロール動作はナビゲーションボタンで操作することができる。ロングタッチの時間は例えば例えば０．５秒〜１秒であるが、この時間に限定されるものではない。  
「ムーブ」は、タッチされて「選択」された項目から別の項目に移動して「選択」しようとする場合に用いられる。  
「ロングプレス」は、後述する再生制御ボタンの操作により曲の「早送り」や「巻戻し」等のトリックプレイ操作を行う場合、コンテキストボタンを表示部７に表示させる場合等に用いられる。ロングプレスの時間は例えば例えば０．５秒〜１秒であるが、この時間に限定されるものではない。  
「ドラッグ」は、プレスしている操作ボタン９をキャンセルしたいときに、その操作ボタン９から指をずらす場合に用いられる。  
「リムーブ」は、タッチして「選択」した項目を解除する場合に用いられる。  
「リリース」は、プレスによる「決定」のコマンドをキックする場合に用いられる。すなわち、リリースされることで初めて「決定」がなされる。この「決定」がなされた後は、指が操作ボタン９から離れても、つまりリムーブされても機器１は何も動作しない。
【００５０】
次に、携帯型電子機器１が表示部７に表示する画面について説明する。
【００５１】
図１０は、表示部７に表示される画像を説明するための図である。このように、ユーザにより選択され、決定される対象となる項目（領域）４３が、操作部８の操作ボタン９に対応するように分割されて表示される。ユーザは操作部８を操作することで、表示されるカーソルＣを移動させて望む項目を選択し決定することが可能となっている。
【００５２】
携帯型電子機器１が表示部７に表示する基本的な画面は３つある。例えば、（１）図１５に示すような再生画面（ＪＰＥＧ表示画面）、（２）図１１〜図１４に示すようなリスト選択画面（メインメニュー画面、検索画面、プログラム再生リスト画面、設定画面等）、（３）図１８に示すようなマトリックス選択画面（アルバムジャケット検索画面等）がある。
【００５３】
また、携帯型電子機器１が表示部７に表示する基本的なボタン画面は、例えば２つある。上述した（ａ）ナビゲーションボタン、（ｂ）再生制御ボタン、及び（ｃ）コンテキストボタンである。
【００５４】
ナビゲーションボタンは、上記（１）、（２）及び（３）の全ての画面で用いられる。ナビゲーションボタンには、例えば上記再生画面、メインメニュー画面及びその他の画面を切り替えるためのボタン、画面に表示された曲の並び変え（例えばアルファベット順、ユーザのお気に入り順等）、現在表示されている画面の次ページに進んだり、全ページに戻ったりするためのボタン等が備えられている。
【００５５】
再生制御ボタンは、例えば上記（１）再生画面で表示されるボタンである。再生制御ボタンには、曲を再生途中で、頭出し再生、早送り、巻戻し、次曲へスキップする等のためのボタンが備えられている。
【００５６】
コンテキストボタンは、例えば（２）リスト選択画面、及び（３）マトリックス選択画面で表示されるボタンである。コンテキストボタンには、プログラム再生リストに曲を追加するためのボタンが備えられ、特にプログラム再生リスト画面においては、曲を当該リストから削除するためのボタン、曲を交換したりするためのボタンが備えられている。
【００５７】
ここで、リスト選択画面は、表示画面上で選択対象（項目）が行のみの領域で分割されている画面であるのに対し、マトリックス選択画面は、表示画面上で項目が行例（マトリックス）の領域で分割されている画面である。したがって、両選択画面は、表示される画像が異なるだけであり、両者の目的は、項目を選択して決定することで再生を開始したり、選択してコンテキストボタンを表示しプログラム再生リスト等を作成したりすることであり、同じ目的である。
【００５８】
プログラム再生リストとは、ユーザが聞きたい曲を再生リストに追加登録して、そのリスト順に曲を再生して行くものである。プログラム再生リストは例えば１〜５の５組登録可能である。そして、上記リスト選択画面のうち、設定画面において、５組のうちどのプログラム再生リストを使用するかについて選択し決定することができるようになっている。
【００５９】
次に、携帯型電子機器１の動作について説明する。まず、曲を再生する場合について説明する。
【００６０】
電源スイッチ３がスライドして機器１に電源が投入されると、システムコントローラ１００はシステムを起動し、例えば所定の起動画面を表示した後、図１１に示すようなメインメニュー画面４０を表示部７に表示する。メインメニュー画面４０では、「ジャンル」、「アーティスト」、「アルバム」、「全曲」、・・・の項目があり、下にスクロールすることにより、さらに別の項目が表示される。メインメニュー画面４０では、ユーザが望む曲を例えばジャンル別、アルバム別等に階層的に検索して行くことができる。
【００６１】
メインメニュー画面４０の下部には、例えば、曲を再生しているときの当該曲の時間カウンタ４３、選択した曲の総時間４７、現在再生している曲の、総時間４７中の経過時間を表すバー４４、バッテリー残量４６、現在時刻４８等の表示がされている。例えばメインメニュー画面４０が表示されているときに、曲が再生されている場合は、空欄４２の部分に曲名が表示されるようになっている。
【００６２】
メインメニュー画面４０において、ユーザは、操作部８の、１〜５行目であって２〜４列目（図９参照）の項目のいずれかに対応する操作ボタン９を押すことにより選択することができる。ここで、メインメニュー画面４０のようなリスト選択画面では、２〜４列目の区別はないので、２〜４列目のいずれを選択してもよい。
【００６３】
一例として、ユーザが「ジャンル」から検索して行く場合について説明する。ユーザが１行目の２〜４列目のいずれかの操作ボタン９、例えば、１行３列目の操作ボタン９−３にタッチすることにより、図１２に示すように、表示コントローラ１０６は、「ジャンル」の項目に色付け４１をする。また、表示コントローラ１０６は、操作ボタン９−３に対応する項目にカーソルＣを合わせる。
【００６４】
なお、メインメニュー画面４０において、「マイヒストリー」の項目である５行目をロングタッチすることで、さらに下の項目へ向けてスクロールされていく。
【００６５】
この状態でユーザにより、操作ボタン９−３がプレスされ、かつリリースされることにより「ジャンル」の項目が決定される。そうすると、表示コントローラ１０６は図１３に示すような画面を表示する。ユーザにより、４行３列目の操作ボタン９−１８がタッチ、プレス及びリリースされて例えば「クラシック」が決定されると、表示コントローラ１０６は、図１４に示すような画面を表示する。このように、ユーザが階層的に降順に検索を繰り返して、例えば「バッハ」、そして「Ｇ線上のアリア」が選択されて決定されると、表示コントローラ１０６は図１５に示すような再生画面４５を表示する。また、ＣＰＵ１０１はＤＭＡコントローラ１０２に「Ｇ線上のアリア」の曲を再生するための信号を出力し、これにより、ＤＭＡコントローラ１０２は当該曲のデータをＤＭＡ転送することでオーディオデコーダ１０８によりデコードされて曲が再生される。
【００６６】
以上の一連の操作では、必ずしも常にユーザの指が操作部８に触れている必要はなく、途中で一旦リムーブしてタッチし直したり、そのとき最後に触っていた操作ボタン９と異なる操作ボタン９を触ったりしても、改めてフォーカス表示あるいはカーソル表示するだけである。
【００６７】
再生画面４５では、上述したＪＰＥＧフォーマットの画像４９、曲名５０、再生中であることを示すマーク５１が表示される。画像４９は、曲、アルバム、アーティスト、またはジャンルごとにＨＤＤ１１５に記録された画像である。この画像はユーザがＰＣによりインターネット上でダウンロードした画像、あるいはユーザがディジタルカメラ等により撮像して、携帯型電子機器１に取り込んだ画像であってもよい。また、再生途中に、ユーザから操作部８に対して所定時間何の入力もない場合、スクリーンセイバーのような画像を表示するようにしてもよい。
【００６８】
次に、ナビゲーションボタンについて説明する。図１３において、「クラシック」を聴くことを望んでいたユーザが間違えて「ロック」を選択して決定してしまい、次の「アーティスト」の画面に進んでしまった後、前の「ジャンル」の画面に戻りたい場合、以下の動作が行われる。例えば、ユーザが操作部８の１列目の操作ボタン９−１、９−６、９−１１、９−１６、９−２１のいずれかにタッチすると、図１６に示すように、表示コントローラ１０６はナビゲーションボタン５５を表示する。ナビゲーションボタン５５には、例えば、現在表示部７で表示されていない上の画面を表示するためのボタン５５ａ、再生画面へ行くボタン５５ｂ、１つ前の画面に戻るボタン５５ｃ、リスト選択画面等で項目の順番を変える（ソート）ボタン５５ｄ、現在表示部７で表示されていない下の画面を表示するためのボタン５５ｅ等が備えられている。このナビゲーションボタン５５の５つのボタンは、操作ボタン９−１、９−６、９−１１、９−１６、９−２１にそれぞれ対応している。
【００６９】
ナビゲーションボタン５５が表示され、ユーザは３行１列目のボタン９−１１をタッチすると、あるいは、ナビゲーションボタン５５を表示させるときに一度タッチして、その後リムーブしていない場合にそのタッチした状態から９−１１までムーブすると（ただし、ナビゲーションボタン５５を表示させるためにタッチするときに最初から操作ボタン９−１１にタッチしたときはムーブしなくてよい。）、表示コントローラ１０６は、対応する項目にカーソルＣを合わせる。そして、ユーザが操作ボタン９−１１をプレスしリリースすることで、１つ前の画面である、図１３に示す「ジャンル」の画面に戻る。このとき、表示コントローラ１０６は、この「ジャンル」の画面上においてもナビゲーションボタン５５を表示させておく。この後、ユーザが４行３列目（４行２列目または４列目でもよい。）の操作ボタン９−１８がタッチ、プレス及びリリースされて例えば「クラシック」が決定されると、表示コントローラ１０６は、ナビゲーションボタン５５を表示部７上から消す。あとは、上述したように、図１４及び図１５に示すような画面を表示して再生する。
【００７０】
なお、ナビゲーションボタン５５は図１５に示す再生画面４５上にも表示され、曲を再生している中で他の画面に移動したり、他の曲を選択して決定したりすることができる。
【００７１】
次に、曲の再生途中で、トリックプレイ操作を行う場合の動作について説明する。再生画面４５が表示されているとき、ユーザが操作部８の５列目の操作ボタン９−５、９−１０、９−１５、９−２０、９−２５のいずれかにタッチすると、図１７に示すように、表示コントローラ１０６は再生制御ボタン５６を表示する。再生制御ボタン５６には、上から、早送りボタン５６ａ、巻戻しボタン５６ｂ、停止ボタン５６ｃ、ボリュームボタン５６ｄ及び５６ｅが備えられている。この再生制御ボタン５６の５つのボタンは、操作ボタン９−５、９−１０、９−１５、９−２０、９−２５にそれぞれ対応している。
【００７２】
再生制御ボタン５６が表示され、ユーザは１行５列目のボタン９−５をタッチすると、あるいは、再生制御ボタン５６５を表示させるときに一度タッチして、その後リムーブしていない場合にそのタッチした状態から９−５までムーブすると（ただし、再生制御ボタン５６を表示させるためにタッチするときに最初から操作ボタン９−５にタッチしたときはムーブしなくてよい。）、表示コントローラ１０６は、対応する項目にカーソルＣを合わせる。そして、ユーザが操作ボタン９−５をロングプレスすることで、ＣＰＵ１０１は現在再生している曲の早送りしながら再生する。早送りは、例えば曲のデータのストリームを構成する連続するパケットのうち間欠的にあるパケットだけを再生するようにすればよい。巻戻しも同様である。
【００７３】
また、ユーザが操作ボタン９−５をロングプレスしないで、プレスしてリリースしたときには、ＣＰＵ１０１は、現在再生している曲を停止し、その再生している曲が入ったアルバムの次の曲を再生したり、または、プログラム再生リストの次の曲を再生したりする。
【００７４】
図１８はジャケット検索画面の一例を示す図である。このジャケット検索画面６０では、ユーザは、例えば１〜５行、２〜４列目の項目を選択することができる。各項目として、例えば歌曲のアルバムＣＤ等のジャケット画像６１が表示されており、ユーザが、いずれか１つのジャケット画像６１を選択し決定する（タッチ、プレス及びリリースする）ことで、表示コントローラ１０６は、決定されたアルバムの中に含まれる曲の一覧の画面（図示せず）を表示する。ユーザは、その曲一覧画面から聴きたい曲を選択し決定するタッチ、プレス及びリリースする）ことでシステムコントローラ１００は、その曲を再生する。あるいは、ユーザがジャケット検索画面６０において、１つのアルバムが選択され決定されたら、システムコントローラ１００はそのアルバムの１曲目から再生するようにしてもよい。
【００７５】
以上のように、本実施の形態では、操作部８の近傍にグリップ部６を設けることにより、ユーザに積極的にグリップ部６を持たせるようにしたので、あらゆるユーザの携帯型電子機器１の持ち方を統一させることができる。特に、マトリックス状に細かく配置された複数の操作ボタン９を有する操作部８を操作する場合であっても、持ち方が統一されることで機器１は入力情報を的確に判断することができるようになる。
【００７６】
特に、携帯型電子機器１が小型化されると操作部も小型化が必須となる。操作部を小型化すると、ユーザの指の大きさに対する、操作部の指が触れる部分の面積が狭くなり、その分、操作ボタンごとの静電容量の変化を検出しにくくなる。本実施の形態では、操作部８を極力小型化し、ユーザの本体２の握り方を極力統一させることで小型化された操作部８によるユーザの指の動きや位置の検出精度を極力高めているのである。
【００７７】
本実施の形態に係る携帯型電子機器１では、図１に示すように本体２の端部に設けられたグリップ部６の近傍には操作部８が配置され、さらに操作部に隣接して表示部７が配置されている。このように、グリップ部６、操作部８及び表示部７が直線状に配列されることで、操作部８が携帯型電子機器１のほぼ重心となる。したがって、ユーザが操作部８を操作するときの安定感を得ることができ、容易に操作することができる。
【００７８】
本実施の形態に係る携帯型電子機器１では、突出部５が、本体２の操作部８が配置される前面２ａと反対側である背面２ｂに設けられている。突出部５と操作部８とが同じ側に配置される場合、ユーザが親指で操作部８を操作するときに突出部がじゃまになり操作しづらくなるが、両者が互いに反対側に設けられることにより、握りやすくなる上、操作も容易になる。
【００７９】
本発明は以上説明した実施の形態には限定されるものではなく、種々の変形が可能である。
【００８０】
上記実施の形態に係る携帯型電子機器１は、表示部７と操作部８とが横に配列される形態としたが、図１９に示す携帯型電子機器７０のように、表示部７と操作部８とが縦に配列されるようにしていもよい。この場合、ユーザはこの縦の状態で表示部７を見ながら操作部８を操作することができる。これにより、図１９に示すように、ユーザは右手左手を問わず操作することができる。
【００８１】
また、図１の携帯型電子機器１と図１９の携帯型電子機器７０とを組み合わせ、縦型で使用する場合と、横型で使用する場合とを切り替えスイッチで切り替えることができるようにしてもよい。
【００８２】
図２０及び図２１は、他の実施の形態に係る携帯型電子機器の前面側及び裏面側をそれぞれ示す図である。この携帯型電子機器８０では、前面側に表示部７及び操作部８ａが配置され、背面側には操作部８ｂが配置されている。ユーザは、操作部８ａの操作ボタン９ａを例えば親指で操作することができ、操作部８ｂの操作ボタン９ｂを例えば人指し指で操作することができる。例えば、操作部８ａを使用する場合と操作部８ｂを使用する場合とを切り替えるためのスイッチが設けられることで、ユーザはどちらの操作部を使用するかを選択することができ、快適な操作が可能となる。あるいは、表示部７で表示される画面によって操作部８ａを使用するか操作部８ｂを使用するかが決められていてもよい。
【００８３】
また、携帯型電子機器８０において、操作部が裏側のみに設けられ、前面側には表示部７のみが設けられるようにしてもよい。
【００８４】
さらに携帯型電子機器の別の実施の形態として、操作部８が、本体２の複数の箇所に分かれて配置されていてもよい。例えば、図２２及び図２３に示すように、携帯型電子機器９０の左側面９２ａ及び右側面９２ｂにそれぞれ操作部９８ａ及び９８ｂが配置されている。それぞれの操作部９８ａ及び９８ｂには、操作ボタン９９ａ及び９９ｂが設けられる。ユーザは、携帯型電子機器９０を右手で操作する場合、操作部９８ａを人指し指で操作し、操作部９８ｂを親指で操作することができる。ユーザは、携帯型電子機器９０を左手で操作する場合、操作部９８ａを親指で操作し、操作部９８ｂを人指し指で操作することができる。
【００８５】
あるいは、例えば、携帯型電子機器９０において、左側面９２ａ及び右側面９２ｂにそれぞれグリップ部が設けられ、その２つのグリップ部の近傍に２つの操作部９８ａ及び９８ｂがそれぞれ配置されるようにしてもよい。この場合、例えば２つのグリップ部をそれぞれ右手と左手で握るようにし、両親指で操作部を操作することができる。
【００８６】
また、上記実施の形態に係る携帯型電子機器１では音楽の再生を行うとして説明したが、これに限られず、例えば映画やＴＶ番組等を再生できるものであっても構わない。
【図面の簡単な説明】
【００８７】
【図１】本発明の一実施の形態に係る携帯型電子機器を示す斜視図である。
【図２】図１に示す携帯型電子機器の底面図である。
【図３】本体がクレードルに載置された状態を示す正面図である。
【図４】携帯型電子機器の全体の構成を示すブロック図である。
【図５】携帯型電子機器のシステムの構成を示すブロック図である。
【図６】ハードディスクに記憶されたデータを示す図である。
【図７】操作部の構成を示す断面図である。
【図８】ユーザにより操作ボタンが押された状態を示す操作部の断面図である。
【図９】操作部の構成を示す図である。
【図１０】表示部に表示される画像を説明するための図である。
【図１１】メインメニュー画面を示す図である。
【図１２】メインメニュー画面における動作の一例を示す図である。
【図１３】ジャンル画面における動作の一例を示す図である。
【図１４】アーティスト画面における動作の一例を示す図である。
【図１５】再生画面を示す図である。
【図１６】ナビゲーションボタンを示す図である。
【図１７】再生制御ボタンを示す図である。
【図１８】ジャケット検索画面を示す図である。
【図１９】他の実施の形態に係る携帯型電子機器を示す正面図である。
【図２０】さらに別の実施の形態に係る携帯型電子機器の前面側を示す図である。
【図２１】図２０に示す携帯型電子機器の背面側を示す図である。
【図２２】さらに別の実施の形態に係る携帯型電子機器を示す（ａ）左側面図、（ｂ）右側面図である。
【図２３】図２２に示す携帯型電子機器の前面側を示す図である。
【符号の説明】
【００８８】
Ｃ…カーソル
１、７０、８０、９０…携帯型電子機器
２…本体
２ａ…前面
２ｂ…背面
２ｃ…上面
２ｅ、９２ａ、９２ｂ…側面
２ｄ…底面
６…グリップ部
７…表示部
８、８ａ、８ｂ、９８ａ、９８ｂ…操作部
９、９ａ、９ｂ、９９ａ、９９ｂ…操作ボタン
２２…シート
２３…配線
２４…電極
【図１】
0004649870.tif 000002
【図２】
0004649870.tif 000003
【図３】
0004649870.tif 000004
【図４】
0004649870.tif 000005
【図５】
0004649870.tif 000006
【図６】
0004649870.tif 000007
【図７】
0004649870.tif 000008
【図８】
0004649870.tif 000009
【図９】
0004649870.tif 000010
【図１０】
0004649870.tif 000011
【図１１】
0004649870.tif 000012
【図１２】
0004649870.tif 000013
【図１３】
0004649870.tif 000014
【図１４】
0004649870.tif 000015
【図１５】
0004649870.tif 000016
【図１６】
0004649870.tif 000017
【図１７】
0004649870.tif 000018
【図１８】
0004649870.tif 000019
【図１９】
0004649870.tif 000020
【図２０】
0004649870.tif 000021
【図２１】
0004649870.tif 000022
【図２２】
0004649870.tif 000023
【図２３】
0004649870.tif 000024